(57)【特許請求の範囲】
【請求項１】
流し台やキッチンキャビネットなどが設置された後方の壁面に設けられた窓の部分に取り付けられるラックであって、このラックは、窓の内枠の上側に固定されたハンガーレールと、このハンガーレールに走行可能に支持された左右一対の吊車と、この吊車に垂設した吊下杆と、この吊下杆に上端部を挿入され下端部をフリーな状態で吊り下げられたフレームと、このフレーム同士を連結する複数の横桟と、この横桟に掛支保持される棚部材とからなり、キッチンに設けられた窓の内側に、この窓の幅方向に移動可能に取り付けられることを特徴とするキッチン窓用ラック。
【請求項２】
上記フレーム間の幅は、大きくとも窓の横幅の１／２までであることを特徴とする請求項１記載のキッチン窓用ラック。
【請求項３】
上記フレームが、上下位置調節可能に吊下杆を介して吊車に取り付けられたことを特徴とする請求項１または２記載のキッチン窓用ラック。
【請求項４】
上記ハンガーレールが、伸縮可能に２部材を係合させて構成されていることを特徴とする請求項１記載のキッチン窓用ラック。
【発明の詳細な説明】
【０００１】
【発明の属する技術分野】
本発明は、キッチンの窓部分に取り付けられるラックに関する。
【０００２】
【従来の技術】
従来、キッチンの窓部分に取り付けられるラックとしては、特開平８−１９１７２６号に示されるものがあった。これは、図６に示すように、背板を設けていないラック１１をキッチンカウンター１３のシンク（図示せず）上方の壁面１５の窓１４の前側に取り付けたものであり、このラック１１の下部に設けられた水切り部材１２に洗った食器類などを並べ置くことにより、この食器類などからの水滴をその下方に位置したシンク上に落下させるようにしたものである。
【０００３】
【発明が解決しようとする課題】
上述した従来のラックは、シンク上に水滴を落下させるために、窓を塞ぐようにその前側に取り付けられているので、窓の開閉操作が困難になると共に、窓からの採光も妨げられるという問題点があった。
【０００４】
また、シンクの上方において、このラックが前方に飛び出しているので、シンク使用の際の邪魔にはならなくても、使用者に相当の心理的な圧迫感を与えるという問題点もあった。
【０００５】
本発明は、これら従来のラックが有していた問題点の解決を課題とする。
【０００６】
【課題を解決するための手段】
上記の課題を解決するために、本発明のうち、請求項１記載の発明は、流し台やキッチンキャビネットなどが設置された後方の壁面に設けられた窓の部分に取り付けられるラックであって、このラックは、窓の内枠の上側に固定されたハンガーレールと、このハンガーレールに走行可能に支持された左右一対の吊車と、この吊車に垂設した吊下杆と、この吊下杆に上端部を挿入され下端部をフリーな状態で吊り下げられたフレームと、このフレーム同士を連結する複数の横桟と、この横桟に掛支保持される棚部材とからなり、キッチンに設けられた窓の内側に、この窓の幅方向に移動可能に取り付けられることを特徴とする。
【０００７】
請求項２記載の発明は、請求項１記載の発明の構成のうち、フレームをその幅が、大きくとも窓の横幅の１／２までと限定したことを特徴とする。
【０００８】
請求項３記載の発明は、請求項１または２記載の発明の構成に、フレームが上下位置調節可能に吊下杆を介して吊車に取り付けられた構成を加えたことを特徴とする。
【０００９】
請求項４記載の発明は、請求項１記載の発明の構成のうち、ハンガーレールを、伸縮可能に２部材を係合させて構成されたものと限定したことを特徴とする。
【００１０】
【発明の実施の形態】
以下、本発明を図示した実施の形態に基づき詳細に説明する。
【００１１】
図１は、本発明に係るキッチン窓用ラック１が設置されたキッチンの斜視図である。図示したように本発明のキッチン窓用ラック１は、流し台やキッチンキャビネット８などが設置された後方の壁面１０に設けられた窓Ｗの部分に取り付けられるものである。
【００１２】
このキッチン窓用ラック１は、図２の要部の一部切欠分解斜視図に示すように、下端中央部が開放された長尺のハンガーレール２と、このハンガーレール２に走行可能に支持される吊車７と、この吊車７に吊り下げられた枠体３、およびこの枠体３に掛支保持される棚部材４，５，６とで構成されている。
【００１３】
上記ハンガーレール２は、下端に対向した水平部分を有する下向き略コ字形の長尺の金属製のものであり、上記の対向した水平部分を後述するローラーの走行部２ａとしている。
【００１４】
吊車７は、四方に上記ハンガーレール２の走行部２ａに接するローラー７ａが設けられたものであり、その中央下側には、枠体３の吊下杆３ｃが垂下するように取り付けられている。
【００１５】
枠体３は、左右一対のフレーム３ａ，３ａと、このフレーム３ａ，３ａ同士を連結する複数の横桟３ｂ，３ｂ…とで構成されており、上記吊車７から垂下された吊下杆３ｃにフレーム３ａを挿入し、所定位置でねじ止めすることにより、この吊下杆３ｃに取り付けられている。なお、ここにおいて枠体３の幅は、図３に示すように取り付けられる窓Ｗの幅（図３において左右方向の幅）の１／２以下に設定されている。
【００１６】
棚部材４，５，６は、例えばビニール被覆金属線などの線材を屈曲するなどして枠体３の幅とほぼ等しい寸法に形成された籠棚状のものであり、その後側の左右両端には、下向き略Ｊ字形の掛支部４ａ，５ａ，６ａが、後方（図４において左方）に突出するように一体形成されている。
【００１７】
上記の各部で構成される本発明のキッチン窓用ラック１は、ハンガーレール２に吊車７を係合させた状態で、このハンガーレール２を図４に示すように、窓Ｗの内枠Ｗａの上側にビス止めすることにより、枠体３がこの内枠Ｗａ内に位置するように取り付けられ、この枠体３の複数の横桟３ｂのうち、任意の位置のものに、掛支部４ａ，５ａ，６ａを引っ掛けることにより、棚部材４，５，６が枠体３から前方（図４において右方）に突出した状態で、この枠体３の前側に掛支保持されるようになっている。
【００１８】
なお、この時、窓Ｗの高さや使用形態等によって枠体３の取付位置を変更したい場合は、フレーム３ａを吊下杆３ｃに固定しているねじ（図示せず）を緩め、フレーム３ａを下方に引き出し、所望の位置でこのねじを再び締め付ければ良く、このことで枠体３は、図３に破線で示すように下方に移動した位置で固定される。
【００１９】
このようにして、本発明のキッチン窓用ラック１は、キッチンに設けられた窓Ｗのデッドスペースとなっている内枠Ｗａ内を利用して取り付けられ、吊車７がハンガーレール２に沿って案内されることにより、図３に矢印で示すように、窓Ｗの前側（図３において紙面の手前側）を左右に移動できるものである。よって、使用勝手の良い位置にこのラック１を移動させることができ、また、このラック１は、その幅が窓Ｗの横幅の１／２以下に設定されているので、窓Ｗの中央部分に設けられたロック装置（図示せず）の操作の邪魔にならず、窓Ｗの開閉機能を妨げることはない。さらにこのラック１は、上述したように幅が狭く、かつ、線材などで構成され、後面が塞がれていないことと相まって、窓Ｗからの採光の妨げも少ないものである。
【００２０】
図５は、本発明のキッチン窓用ラック１を出窓ＷＡに取り付けた状態を示す断面図である。図示したように、このような出窓ＷＡであっても本発明のキッチン窓用ラック１は、上記の場合と何ら変わることなく取り付けられ、その機能も何ら変わることはない。
【００２１】
以上のようにして本発明のキッチン窓用ラック１は、設置され、使用されるものである。
【００２２】
なお、図１において符号８ａは、キッチンキャビネット８などの上面を覆うように設けられたワークトップ、９は、このキッチンキャビネット８と対向するように、屋内の天井近傍に取り付けられた吊戸棚を示す。また、図４において符号８ｂは、ワークトップ８の所定位置に設けられたシンク８ｃの近傍（図４において左方）に設けられた水栓を示す。
【００２３】
なお、上記の実施の形態では、窓Ｗの高さ寸法などに応じて枠体３の取り付け高さ位置を調節できるように、枠体３のフレーム３ａを吊車７に垂下された吊下杆３ｃに挿脱方向に移動可能に挿入した例を示した。
【００２４】
また、窓Ｗの中央部分に設けられたロック装置の操作性を妨げないように、ラック１の枠体３の幅を、窓Ｗの幅の１／２以下に設定したものを例示したが、窓Ｗが引き戸式でなく、その中央部分にロック装置が設けられていない場合には、その限りではなく、枠体３の幅が窓Ｗの幅の１／２以上であっても良い。
【００２５】
なお、また上記ではハンガーレール２を１部材で構成したものを例示したが、このハンガーレール２を外寸と内寸が等しい一対の部材で構成し、互いに摺動可能に係合させることとすれば、幅方向の寸法が異なる各種窓への取り付けが可能になると共に、その取付作業も吊車７を係合させずに行うことができ、便利である。
【００２６】
【発明の効果】
以上説明したように、本発明のうち、請求項１記載の発明は、ラックを、窓の内枠の上側裏面に固定されたハンガーレールに、移動可能に吊り下げられたものとしたので、従来利用されていなかった窓のデッドスペースの有効利用がはかられ、台所用品の収納場所が新たに確保されると共に、棚を使用し易い位置に移動させることにより、その取扱性の向上もはかられるという効果がある。
【００２７】
請求項２記載の発明は、枠体の幅を窓の横幅の１／２までとすることにより、引き戸式の窓の中央部分に設けられたロック装置の操作が妨げられないようにしたので、上記請求項１記載の発明の効果に加え、この種の窓への取り付けが、窓の機能を損なうことなく可能となり、また、窓からの採光の低下も軽減されるという効果がある。
【００２８】
請求項３記載の発明は、枠体を上下位置調節可能に吊下杆を介して吊車に取り付けたので、上記請求項１または２記載の発明の効果に加え、高さの異なる各種窓への取り付けが可能になると共に、使用者が使用し易い位置にラックを移動させることも可能となり、設置ならびに使用の際の対応度が向上するという効果がある。
【００２９】
請求項４記載の発明は、ハンガーレールを伸縮可能なように２部材を係合させたものとしたので、横幅の異なる各種窓への取り付けが可能になると共に、取り付けの際も、ハンガーレールの片側を、窓の内枠に仮固定した後、吊車を係合させることができるので、作業が行い易くなるという効果がある。
【図面の簡単な説明】
【図１】本発明のキッチン窓用ラックが設置されたキッチンの斜視図である。
【図２】図１に示したキッチン窓用ラックの要部の一部切欠分解斜視図である。
【図３】図１に示したキッチン窓用ラックの設置状態の正面図である。
【図４】図３の断面図である。
【図５】本発明のキッチン窓用ラックの他の取付例を示すキッチン窓部分の断面図である。
【図６】従来例の正面図である。
【符号の説明】
１ キッチン窓用ラック
２ ハンガーレール
３ 枠体
３ａ フレーム
３ｂ 横桟
３ｃ 吊下杆
４，５，６ 棚部材
４ａ，５ａ，６ａ 掛支部
７ 吊車
７ａ ローラー
Ｗａ 窓の内枠
【図１】
0004450491.tif 000002
【図２】
0004450491.tif 000003
【図３】
0004450491.tif 000004
【図４】
0004450491.tif 000005
【図５】
0004450491.tif 000006
【図６】
0004450491.tif 000007